(57)【要約】【課題】Legacy DMRSとは異なる配置パターンのDMRSを送信する場合に、周辺セルの端末に与える干渉の影響を低減すること。【解決手段】制御部２３は、DMRSの第１の配置パターンにおいてDMRSがマッピングされるリソースの一部のリソースがデータリソースに置き換えられた第２の配置パターンを用いる場合、一部のリソース以外のリソースにマッピングされる第１のデータの送信電力又は送信電力密度にオフセットを加えて、一部のリソースにマッピングされる第２のデータの送信電力又は送信電力密度を制御し、送信部２５は、第１のデータ、第２のデータ及びDMRSを含む信号を送信する。【選択図】図１０
2014192860.tif 000002
【特許請求の範囲】
【請求項１】
DMRS（Demodulation Reference Signal）の第１の配置パターンにおいてDMRSがマッピングされるリソースの一部のリソースがデータリソースに置き換えられた第２の配置パターンを用いる場合、前記一部のリソース以外のリソースにマッピングされる第１のデータの送信電力又は送信電力密度にオフセットを加えて、前記一部のリソースにマッピングされる第２のデータの送信電力又は送信電力密度を制御する制御部と、
前記第１のデータ、前記第２のデータ及びDMRSを含む信号を送信する送信部と、
を具備する送信装置。
【請求項２】
前記制御部は、前記第１のデータの送信電力又は送信電力密度を前記オフセットだけ減少させた値を、前記第２のデータの前記送信電力又送信電力密度に設定する、
請求項１記載の送信装置。
【請求項３】
前記第１の配置パターン及び前記第２の配置パターンを含む複数の配置パターンのうちの前記送信装置が用いる配置パターンと、前記オフセットとを指示する情報を受信する受信部、を更に具備する、
請求項１記載の送信装置。
【請求項４】
前記信号に割り当てられた帯域幅が広いほど、前記オフセットは小さい、
請求項２記載の送信装置。
【請求項５】
前記制御部は、前記第１のデータの送信電力又は送信電力密度を前記オフセットだけ増加させた値を、前記第２のデータの前記送信電力又送信電力密度に設定する、
請求項１記載の送信装置。
【請求項６】
前記オフセットは、前記第２のデータの前記送信電力又は送信電力密度をゼロにする、
請求項１記載の送信装置。
【請求項７】
前記制御部は、更に、前記第１のデータに対する第１のMCS（Modulation and coding scheme）レベルと異なる基準に基づいて、前記第２のデータに対する第２のMCSレベルを設定する、
請求項１記載の送信装置。
【請求項８】
前記第１のMCSレベルは制御情報によって通知され、前記第２のMCSレベルは予め規定される、
請求項７記載の送信装置。
【請求項９】
前記制御部は、前記第１のMCSレベルに第２のオフセットを加えて、前記第２のMCSレベルを制御する、
請求項７記載の送信装置。
【請求項１０】
前記第１のMCSレベルが所定の閾値より高い場合には、前記第２のMCSレベルは前記第１のMCSレベルと同一であり、
前記第１のMCSレベルが前記閾値以下の場合には、前記第２のMCSレベルは前記第１のMCSレベルよりも低い、
請求項７記載の送信装置。
【請求項１１】
前記制御部は、更に、前記第２の配置パターンを用いる場合、DMRSの送信電力又は送信電力密度を、前記第１のデータの送信電力又は送信電力密度よりも高く設定する、
請求項１記載の送信装置。
【請求項１２】
前記第１の配置パターン及び前記第２の配置パターンを含む複数の配置パターンのうちの前記送信装置が用いる配置パターンと、第３のオフセットとを指示する情報を受信する受信部、を更に具備し、
前記制御部は、前記第１のデータの送信電力又は送信電力密度に前記第３のオフセットを加えて、前記DMRSの送信電力又は送信電力密度を設定する、
請求項１１記載の送信装置。
【請求項１３】
前記信号に割り当てられた帯域幅が広いほど、前記第３のオフセットは小さい、
請求項１２記載の送信装置。
【請求項１４】
DMRS（Demodulation Reference Signal）の第１の配置パターンにおいてDMRSがマッピングされるリソースの一部のリソースがデータリソースに置き換えられた第２の配置パターンを用いる場合、前記一部のリソース以外のリソースにマッピングされる第１のデータの送信電力又は送信電力密度にオフセットを加えて、前記一部のリソースにマッピングされる第２のデータの送信電力又は送信電力密度を制御し、
前記第１のデータ、前記第２のデータ及びDMRSを含む信号を送信する、
送信方法。
【発明の詳細な説明】
【技術分野】
【０００１】
本発明は、送信装置及び送信方法に関する。
【背景技術】
【０００２】
３ＧＰＰ（3rd Generation Partnership Project Radio Access Network）にて策定されたＬＴＥ（Long Term Evolution） Rel.8 （Release 8）では、上り回線の通信方式としてSC-FDMA（single-carrier frequency-division multiple-access）が採用された(非特許文献1、2、3)。SC-FDMAは、PAPR（Peak-to-Average Power Ratio）が小さく、端末（UE：User Equipment）の電力利用効率が高い。
【０００３】
LTEの上り回線では、データ信号（Physical Uplink Shared Channel：上り回線共有チャネル）及び制御信号（Physical Uplink Control Channel：上り回線制御チャネル）の何れの送信もサブフレーム単位で行われる（非特許文献１）。図１は、Normal cyclic prefixの場合におけるPUSCHのサブフレーム構成例を示す。図１に示すように、１サブフレームは２つの時間スロットからなり、各スロットには複数のSC-FDMAデータシンボルとパイロットシンボル（DMRS（Demodulation Reference Signal）と呼ばれる）とが時間多重される。基地局は、PUSCHを受信すると、DMRSを用いてチャネル推定を行う。その後、基地局は、チャネル推定結果を用いて、SC-FDMAデータシンボルの復調・復号を行う。なお、LTE-A (LTE-Advanced) Rel.10 (Release 10)では、SC-FDMAの拡張版であるDFT-S-OFDM（Discrete-Fourier-Transform Spread Orthogonal Frequency Division Multiplexing）も使用可能となった。DFT-S-OFDMは、図１のように得られたPUSCHを２つのスペクトルに分割し、各スペクトルを異なる周波数にマッピングすることにより、スケジューリングの自由度を拡大する方法である。
【０００４】
PUSCHに多重されるDMRSは、自己相関特性及び相互相関特性の優れたCAZAC（Constant Amplitude Zero Auto-Correlation）系列に基づいて生成される。LTEでは、様々な系列長（帯域幅）であり、相関の大きいCAZAC系列が１つのグループにグルーピングされた３０個の系列グループが定義されている（例えば、図２参照）。各セルには、セル固有のID（セルID）に基づいて、３０個の系列グループの中の１つの系列グループが割り当てられる。これにより、セル間では互いに相関の小さな系列グループが割り当てられることになる。
【０００５】
端末は、所属するセルに割り当てられた系列グループのうち、割り当てられた帯域幅に対応するCAZAC系列を用いてDMRSを生成し、DNRSをPUSCHに時間多重する。これにより、同一セル内の端末間では相関の大きなDMRSが送信され、異なるセルの端末間では相関の小さなDMRSが送信される。ここで、セル間ではDMRSの相関が小さいため、同一タイミングで送信されるDMRSの干渉が生じても、窓関数法又は平均化により干渉を低減することができる。一方、同一セル内では、端末間に異なる周波数又は時間が割り当てられることで直交化させ、互いに干渉が生じないように運用できる。また、端末間に同一の周波数又は時間を割り当てることも可能であり（MU-MIMO（Multi-user multi-input multi-output）と呼ばれる）、この場合、各端末のDMRSに異なるサイクリックシフト（CS）を施したり、PUSCH内の２つのDMRSに端末間で異なる直交符号（OCC（Orthogonal Cover Code））を乗じたりすることで、端末間のDMRSを直交多重することができる。
【０００６】
このように、セル間では、異なる系列グループを用いて互いの干渉を低減することにより、無線リソースの空間的再利用を実現する。また、セル内では、MU-MIMOを適用することにより、無線リソースを効率的に利用することができる。こうすることで、LTEでは、効率の高い上り回線伝送を実現できる。
【０００７】
さらに、LTE-A Rel.11（Release 11）では、所属セルのセルIDに関わらず、任意の端末に任意の系列グループを割り当てることができる、バーチャルセルIDが追加された。
【０００８】
ところで、近年、スマートフォンの普及に伴うモバイルトラフィックの爆発的な増加が起きており、ユーザにストレスの無いモバイルデータ通信サービスを提供するには、飛躍的な無線リソースの利用効率改善が必須である。そこで、LTE-A Rel.12（Release 12）では、小型セルを形成する小型セル基地局を無数に配置する、Small cell enhancementが検討されている（非特許文献４）。Small cell enhancementでは、カバレッジを縮小し、セルあたりの端末数を減らすことにより、各セルが端末あたりに割当可能な無線リソースを拡充でき、端末のデータレートを向上できるというメリットがある。一方、全てのエリアを小型セルで敷き詰めることは非現実的である。また、移動速度の大きな端末を小型セルに接続させると、ハンドオーバの頻度が多くなるという問題がある。したがって、小型セルはカバレッジの大きなマクロセルと重畳するように展開することが考えられている（例えば、図３参照。ヘテロジーニアスネットワーク（HetNet：Heterogeneous network）と呼ばれることもある）。これにより、マクロセルにおいて、カバレッジホールを無くしつつ、あらゆる端末をサポートし、小型セルにおいて、移動速度が小さく高速データ通信サービスを求める端末に対して大容量通信を提供することが可能となる。
【先行技術文献】
【非特許文献】
【０００９】
【非特許文献１】3GPP TS 36.211, “Evolved Universal Terrestrial Radio Access (E-UTRA); Physical channels and modulation,”v.11.1.0
【非特許文献２】3GPP TS 36.212, “Evolved Universal Terrestrial Radio Access (E-UTRA); Multiplexing and channel coding,”v.11.1.0
【非特許文献３】3GPP TS 36.213, “Evolved Universal Terrestrial Radio Access (E-UTRA); Physical layer procedures,”v.11.1.0
【非特許文献４】3GPP TR 36.932, “Scenarios and requirements of LTE small cell enhancements,” v.12.0.0
【発明の概要】
【発明が解決しようとする課題】
【００１０】
Small cell enhancementにおいて検討されているネットワーク構成（例えば図３）には、次のような特徴がある。
（１）小型セルに接続する端末に対する伝搬路の状態及び品質は良いことが多い。これは、小型セル基地局と端末との距離が近い確率が高く、その分、高い受信電力又は高い信号対受信電力比（SNR）によって通信されやすいためである。また、同様の理由から、端末に要求される送信電力は小さい可能性が高い。
（２）小型セルはカバレッジが小さいため、同時に運用される端末数は、マクロセルと比較して少ない。場合によっては、小型セルは１、２端末のみと通信する可能性もある。
（３）小型セルはマクロセルと異なり、均一に配置されない可能性が高い。小型セルは、局所的に高密度に配置されることもあれば、広いエリアに疎に分布する場合もある。
【００１１】
以上の特徴より、Small cell enhancementにおける小型セルと通信する端末の上り回線では、チャネルの状態及び品質が良いため、基地局では十分に精度の高いチャネル推定を行うことができると想定される。また、各小型セル内で同時に運用される端末数が少ないことから、MU-MIMOを適用するメリットは小さくなる。したがって、必ずしも、図１に示すようにPUSCHのサブフレームの１４％以上（全体の１／７）をDMRSとして用いる必要はない。すなわち、小型セルと通信する端末の上り回線では、PUSCHのサブフレーム内のDMRSを減らして、減らした分の無線リソースをデータ（PUSCH）に転用できれば、より高い端末のスループットを達成することができる。
【００１２】
このような背景から、Small cell enhancementでは、PUSCHの一部のDMRSをデータと置き換えることにより、端末あたりかつサブフレームあたりのデータレートを向上させる技術（以下の説明では、「削減DMRS（Reduced DMRS）」と呼ぶ）の適用が検討されている。例えば、図１に示すPUSCHのサブフレームに含まれるDMRSを半分に減らすことができれば、約７％のデータレート向上を実現でき、DMRSを１／４にまで減らすことができれば、１１％近くものデータレート向上を実現できる。
【００１３】
図４は、Rel.11までのDMRS（Legacy DMRS）の１サブフレームにおける配置を示す配置パターン（Legacy DMRS pattern）、及び、Reduced DMRSにおけるDMRSの１サブフレームにおける配置を示す配置パターンの一例（Reduced DMRS pattern (1)〜(4)）を示す。図４に示すように、Reduced DMRS patternでは、Legacy DMRS patternよりもDMRSの割合が少ない。すなわち、Reduced DMRS patternでは、Legacy DMRS patternよりもDMRSがマッピングされるリソースが少ない。
【００１４】
Legacy DMRS pattern（図４Ａ）は、図１に示すサブフレーム構成に対応し、１サブフレーム内に２つのDMRSが配置されるパターンである。
【００１５】
Reduced DMRS pattern (1)及び(2)（図４Ｂ、図４Ｃ）は、それぞれ、Legacy DMRS pattern（図４Ａ）に含まれる２つのDMRSのうち１つをデータで置き換えたパターンである。こうすることで、直交符号（OCC）の適用が困難になるものの、データの割当量を増やしてデータレートを向上させることができる。また、Reduced DMRS pattern (1)及び(2)のPUSCHサブフレームを時間的に連結し、連続して送信すれば、２つのサブフレームにまたがって２つのDMRSを用いることができるので、直交符号による多重も可能となる（例えば、図５Ａ参照）。同様に、Reduced DMRS pattern (2)及び(1)のPUSCHサブフレームを時間的に連結し、連続して送信すれば、直交符号による多重が可能となる（図５Ｂ参照）。更に、図５Ｂでは、図５Ａと比較して、符号を乗算するDMRS間の時間的な距離が小さいので、移動速度の大きな端末に対してMU-MIMOを適用することも可能となる。
【００１６】
Reduced DMRS pattern (3)（図４Ｄ）は、割り当てられた帯域幅よりも短い系列長のDMRSを、SC-FDMAシンボル中に分散マッピングする方法である。DMRSがマッピングされないリソースエレメント（RE（Resource Element））にデータを割り当てることで、Reduced DMRS pattern (1)及び(2)と同様、データレートを向上させることができる。また、Reduced DMRS pattern (3)では、１サブフレーム内の２つの異なるSC-FDMAシンボルにDMRSを配置する構成が維持されるので、Rel.11（図４Ａ）と同様、直交符号による異なる端末間のDMRSの直交多重が可能となる。したがって、Reduced DMRS pattern (3)では、MU-MIMOを適用しやすいというメリットがある。一方、Reduced DMRS pattern (3)では、DMRSとデータとが同一SC-FDMAシンボル中に周波数多重されることを考慮すると、端末のPAPRが大きくなるという懸念がある。しかし、小型セルに接続される端末の送信電力は小さい確率が高いので、端末のPAPRが大きくなることは大きな問題とはならない。また、Reduced DMRS pattern (3)では、DMRSを含む２つのSC-FDMAシンボル間でDMRSがマッピングされるリソースエレメントをずらしてもよい（図示せず）。この場合、２つのSC-FDMAシンボルに含まれるDMRSを用いてチャネル推定値を平均化又は補間することにより、チャネル推定精度を高めることもできる。
【００１７】
Reduced DMRS pattern (4)（図４Ｅ）は、割り当てられた帯域幅よりも短い系列長のDMRSを、SC-FDMAシンボル中に局所マッピングする方法である。Reduced DMRS pattern (4)では、Reduced DMRS pattern (3)と同様の効果が得られる上に、Reduced DMRS pattern (3)と比較して、DMRSがマッピングされた帯域内の周波数方向のチャネル変動を推定しやすいというメリットがある。なお、Reduced DMRS pattern (4)において、DMRSがマッピングされる周波数の位置、及び、２つのSC-FDMAシンボルにおけるDMRSの相対的な周波数位置は、図４Ｅに示す例に限らない。
【００１８】
以上、Reduced DMRSの一例について説明した。
【００１９】
Rel.11以前のLegacy DMRSでは、PUSCHを送信する全ての端末が同一の時間・周波数リソースにおいてDMRSを送信するように設計がなされている。この設計は隣接セル間でも同様であり、ある程度同期のとれたセルラシステムでは、PUSCHのDMRSは、隣接セルのDMRSから干渉を受け得るような運用がなされる。ただし、上述したようにDMRSでは、隣接セル間で相関が小さい系列が使用されるため、平均化及びフィルタリングにより、セル間干渉を軽減できるというメリットがある。
【００２０】
一方、Reduced DMRSの使用は、チャネル状態の良い端末又は移動速度の遅い端末に対して個別に通知されることが想定される。すなわち、チャネル状態の悪い端末又は移動速度の速い端末に対しては、依然としてLegacy DMRSが使用される可能性が高い。また、Rel.11以前の機能しかサポートしない端末はLegacy DMRSしか送信できない。したがって、システム内にLegacy DMRSとReduced DMRSとが混在することが考えられる。特に、スケジューラの協調などを行えないセル間では、互いのセル内の端末に使用されるDMRSパターンが、Legacy DMRS patternであるのか、何れかのReduced DMRS patternであるのか、を特定できない場合が生じる。このような場合、或るセルにおいてReduced DMRSを送信する端末のデータシンボルが、周辺セルでLegacy DMRSを送信する端末のDMRSに対して、大きな干渉を与える可能性がある。
【００２１】
図６は、Reduced DMRSを送信する端末のデータシンボルが、Legacy DMRSを送信する端末のDMRSに対して干渉を与える様子を示す。
【００２２】
図６に示すように、同一のPUSCH送信サブフレームタイミングにおいて、セル１では端末がReduced DMRS pattern (1)（図４Ｂ）を用いてDMRSを送信し、セル２では別の端末がLegacy DMRS pattern（図４Ａ）を用いてDMRSを送信している。なお、Reduced DMRS pattern(1)では、Legacy DMRS patternでDMRSがマッピングされるリソースの一部のリソースがデータリソースに置き換えられている。以下の説明では、当該データリソースに置き換えられた一部のリソースを追加データリソースと呼び、追加データリソースにマッピングされるデータを追加データと呼ぶ。
【００２３】
図６に示すように、双方のセルの端末がDMRSを送信しているタイミングでは、互いのDMRSの相関が低くなるように系列が割り当てられるので、平均化及びフィルタリングにより干渉の影響を低減することができる（干渉の影響：小）。
【００２４】
一方、図６に示すように、Reduced DMRS pattern (1)を用いる端末がDMRSをデータに置き換えているタイミングでは、セル１の端末の追加データ（図６に示すData）からセル2の端末のDMRSに対する干渉が発生する。データとDMRSとの間の相関は小さいとは限らないため、セル１の端末が送信するデータが大きな干渉となり、隣接セル（セル２）においてLegacy DMRSを用いる端末の通信品質を劣化させてしまう恐れがある（干渉の影響：大）。
【００２５】
このように、端末がLegacy DMRSとは異なる配置パターンを用いてDMRSを送信する場合、周辺セルの端末に対して干渉を与えてしまう場合がある。
【００２６】
本発明の目的は、Legacy DMRSとは異なる配置パターンのDMRSを送信する場合に、周辺セルの端末に与える干渉の影響を低減することができる送信装置及び送信方法を提供することである。
【課題を解決するための手段】
【００２７】
本発明の一態様に係る送信装置は、DMRS（Demodulation Reference Signal）の第１の配置パターンにおいてDMRSがマッピングされるリソースの一部のリソースがデータリソースに置き換えられた第２の配置パターンを用いる場合、前記一部のリソース以外のリソースにマッピングされる第１のデータの送信電力又は送信電力密度にオフセットを加えて、前記一部のリソースにマッピングされる第２のデータの送信電力又は送信電力密度を制御する制御部と、前記第１のデータ、前記第２のデータ及びDMRSを含む信号を送信する送信部と、を具備する構成を採る。
【００２８】
本発明の一態様に係る送信方法は、DMRS（Demodulation Reference Signal）の第１の配置パターンにおいてDMRSがマッピングされるリソースの一部のリソースがデータリソースに置き換えられた第２の配置パターンを用いる場合、前記一部のリソース以外のリソースにマッピングされる第１のデータの送信電力又は送信電力密度にオフセットを加えて、前記一部のリソースにマッピングされる第２のデータの送信電力又は送信電力密度を制御し、前記第１のデータ、前記第２のデータ及びDMRSを含む信号を送信する。
【発明の効果】
【００２９】
本発明によれば、Legacy DMRSとは異なる配置パターンのDMRSを送信する場合に、周辺セルの端末に与える干渉の影響を低減することができる。
【図面の簡単な説明】
【００３０】
【図１】上り回線のサブフレーム構成を示す図
【図２】DMRSの系列グループ割当を示す図
【図３】Small cell enhancementにおけるネットワーク構成を示す図
【図４】Legacy DMRSパターン及びReduced DMRSパターンの一例を示す図
【図５】Reduced DMRSパターンを用いたOCCによる直交多重を示す図
【図６】追加データリソースでの他セルへの干渉を示す図
【図７】本発明の実施の形態１に係る通信システムを示す図
【図８】本発明の実施の形態１に係る基地局の要部構成を示すブロック図
【図９】本発明の実施の形態１に係る基地局の構成を示すブロック図
【図１０】本発明の実施の形態１に係る端末の要部構成を示すブロック図
【図１１】本発明の実施の形態１に係る端末の構成を示すブロック図
【図１２】本発明の実施の形態１に係る送信電力及び送信電力密度のオフセットを示す図
【図１３】本発明の実施の形態１に係るDPIとDMRSパターンとオフセットとの対応を示す図
【図１４】本発明の実施の形態１に係る割当帯域幅に応じたオフセットによる送信電力制御を示す図
【図１５】本発明の実施の形態１に係る割当帯域幅とオフセットとの対応関係を示す図
【図１６】本発明の実施の形態１に係る周波数領域での直交多重を示す図
【図１７】本発明の実施の形態２に係る追加データリソースでのオフセット及びMCSレベルを示す図
【図１８】本発明の実施の形態２に係る追加データリソースでのオフセット及びMCSレベルを示す図
【図１９】本発明の実施の形態２に係る追加データリソースでのオフセット及びMCSレベルを示す図
【図２０】本発明の実施の形態２に係る追加データリソースでのオフセット及びMCSレベルを示す図
【図２１】本発明の実施の形態３に係る追加データリソース及びDMRSの送信電力制御を示す図
【図２２】本発明の実施の形態３に係るDPIとDMRSパターンとオフセットとの対応を示す図
【図２３】本発明の実施の形態３に係る割当帯域幅に応じたオフセットによる送信電力制御を示す図
【図２４】本発明の実施の形態３に係る割当帯域幅とオフセットとの対応関係を示す図
【発明を実施するための形態】
【００３１】
以下、本発明の各実施の形態について図面を参照して詳細に説明する。なお、各実施の形態において、同一の構成要素には同一の符号を付し、その説明は重複するので省略する。
【００３２】
（実施の形態１）
［通信システムの概要］
図７は、本実施の形態に係る通信システムを示す。図７に示す通信システムは、セル内の基地局１００と１つ又は複数の端末２００とから構成される。なお、図７では、基地局１００は、マクロセル基地局であってもよく、小型セル基地局であってもよい。また、通信システムは、マクロセル基地局と小型セル基地局とが混在するHetNetシステムであってもよく、複数の基地局が協調して端末と通信を行うCoMP（Coordinated multipoint）システムであってもよい。マクロセルと小型セルとは異なる周波数で運用されていても、同一周波数で運用されていてもよい。
【００３３】
［基地局１００の構成］
図８は、基地局１００の要部を示すブロック図である。
【００３４】
図８に示す基地局１００は、制御信号生成部１１、送信部１２、受信部１３、チャネル推定部１４及び受信信号処理部１５を備える。
【００３５】
基地局１００は、端末２００に対して、PUSCH割当の前に、Reduced DMRSが指示され得ることを予め通知する。この通知は上位レイヤなどで行われてもよい。又は、特定の制御チャネル又は特定のConfigurationでUL grantが送受信される場合又は特定の端末２００の状態でPUSCHの送信が行われる場合にReduced DMRSが使用されると規定してもよい。この場合、上位レイヤの通知が不要となるのでオーバーヘッドを抑えることができる。
【００３６】
また、基地局１００は、端末２００に対して、Reduced DMRSが指示された場合の追加データリソース（DMRSがデータに置き換えられるリソース）にマッピングされるデータを決定するための送信電力（送信電力密度）のオフセットを予め通知する。このオフセットは、上位レイヤなどで通知されてもよく、Reduced DMRSのDMRSパターンに応じて予め規定されたオフセット量であってもよい。
【００３７】
制御信号生成部１１は、端末２００向けのPUSCHの割当情報（UL grant）を含む制御信号を生成し、送信部１２は、生成された制御信号をアンテナを介して送信する。制御信号には、PUSCHの割当を指示するUL grantが含まれる。UL grantは複数のビットから構成されており、周波数割当リソース（RB：Resource Block）、変調・符号化方法（MCS（Modulation and Coding Scheme））、SRS（Sounding Reference Signal）トリガ、及び、送信電力増減要求（TPC（Transmission Power Control）コマンド）などを指示する情報を含む。また、１つ又は複数の端末２００向けの制御信号は、下り回線制御チャネル（PDCCH（Physical downlink control channel）又はEPDCCH（Enhanced physical downlink control channel））を用いて送信される。なお、EPDCCHは、EPDCCH setと呼ばれることもあり、PDCCHとは異なる新たな制御チャネルとして、PDSCH内に配置される。
【００３８】
受信部１３は、端末２００がUL grantに従って送信したPUSCHをアンテナを介して受信し、データ及びDMRSを取り出す。チャネル推定部１４は、DMRSを用いてチャネル推定を行う。受信信号処理部１５は、推定されたチャネル推定値に基づいて、データの復調・復号を行う。
【００３９】
図９は、基地局１００の詳細を示すブロック図である。
【００４０】
図９に示す基地局１００は、制御部１０１、制御情報生成部１０２、符号化部１０３、変調部１０４、マッピング部１０５、IFFT（Inverse Fast Fourier Transform）部１０６、CP（Cyclic Prefix）付加部１０７、無線送信部１０８、無線受信部１０９、CP除去部１１０、FFT（Fast Fourier Transform）部１１１、デマッピング部１１２、CSI（Channel State Information）測定部１１３、チャネル推定部１１４、等化部１１５、IDFT（Inverse Discrete Fourier Transform）部１１６、復調部１１７、復号部１１８、判定部１１９を備える。
【００４１】
これらのうち、制御部１０１、制御情報生成部１０２、符号化部１０３及び変調部１０４が主に制御信号生成部１１（図８）として機能し、マッピング部１０５、IFFT部１０６、CP付加部１０７、無線送信部１０８が主に送信部１２（図８）として機能する。また、無線受信部１０９、CP除去部１１０、FFT部１１１及びデマッピング部１１２が主に受信部１３（図８）として機能し、チャネル推定部１１４がチャネル推定部１４として機能し、等化部１１５、IDFT部１１６、復調部１１７、復号部１１８及び判定部１１９が主に受信信号処理部１５（図８）として機能する。
【００４２】
図９に示す基地局１００において、制御部１０１は、端末２００の状態又は受信状況に応じて、端末２００に対するPUSCHのサブフレーム割当を決定する。例えば、制御部１０１は、判定部１１９から入力される端末２００の受信データの判定結果（誤りの有無。ACK又はNACK）、CSI測定部１１３から入力される端末２００のチャネル情報（CSI）等に基づいて、端末２００に対するＰＵＳＣＨのサブフレーム割当を決定する。このとき、制御部１０１は、端末２００に指示する周波数リソースブロック（RB）割当情報、符号化方法、変調方式、初回送信か再送かを示す情報、ハイブリッド自動再送要求（HARQ）のプロセス番号、及び、DMRSパターンなどを決定し、決定した情報を制御情報生成部１０２に出力する。
【００４３】
また、制御部１０１は、端末２００向けの制御信号に対する符号化レベルを決定し、決定した符号化レベルを符号化部１０３に出力する。符号化レベルは、送信する制御信号に含まれる制御情報の量又は端末２００の状態に応じて決定される。
【００４４】
また、制御部１０１は、端末２００向けの制御信号をマッピングする無線リソース要素（RE）を決定し、決定したREをマッピング部１０５に指示する。
【００４５】
制御情報生成部１０２は、制御部１０１から入力される端末２００向けの制御情報を用いて、制御情報ビット列を生成し、生成された制御情報ビット列を符号化部１０３へ出力する。なお、制御情報が複数の端末２００向けに送信されることもあるため、制御情報生成部１０２は、各端末２００向けの制御情報に、各端末２００の端末IDを含めてビット列を生成する。例えば、制御情報には、宛先端末２００の端末IDでマスキングされたCRCビットが付加される。
【００４６】
符号化部１０３は、制御部１０１から指示された符号化レベルを用いて、制御情報生成部１０２から入力される制御情報ビット列を符号化する。符号化部１０３は、得られる符号化ビット列を変調部１０４へ出力する。
【００４７】
変調部１０４は、符号化部１０３から入力される符号化ビット列を変調して、得られたシンボル列をマッピング部１０５へ出力する。
【００４８】
マッピング部１０５は、変調部１０４からシンボル列として入力された制御信号を、制御部１０１から指示される無線リソースにマッピングする。なお、制御信号をマッピング対象となる制御チャネルは、PDCCHであってもよく、EPDCCHであってもよい。マッピング部１０５は、制御信号がマッピングされたPDCCH又はEPDCCHを含む下り回線サブフレームの信号をIFFT部１０６に入力する。
【００４９】
IFFT部１０６は、マッピング部１０５から入力された下り回線サブフレームに対してIFFTを適用し、周波数領域の信号系列を時間波形に変換する。IFFT部１０６は、変換した時間波形をCP付加部１０７へ出力する。
【００５０】
CP付加部１０７は、IFFT部１０６から入力される時間波形にCPを付加し、CPが付加された信号を無線送信部１０８へ出力する。
【００５１】
無線送信部１０８は、CP付加部１０７から入力される信号に対してD/A変換及びアップコンバート等の送信処理を行い、送信処理後の信号をアンテナを介して端末２００へ送信する。
【００５２】
無線受信部１０９は、端末２００から送信された上り回線信号（PUSCH）をアンテナを介して受信し、受信した信号に対してダウンコンバート及びA/D変換等の受信処理を行い、受信処理後の信号をCP除去部１１０へ出力する。
【００５３】
CP除去部１１０は、無線受信部１０９から入力される信号（時間波形）からCPに相当する波形を取り除き、CP除去後の信号をFFT部１１１へ出力する。
【００５４】
FFT部１１１は、CP除去部１１０から入力される信号（時間波形）に対してFFTを適用し、周波数領域の信号系列（サブキャリア単位の周波数要素）に分解して、PUSCHのサブフレームに対応する信号を取り出す。FFT部１１１は、得られた信号をデマッピング部１１２へ出力する。
【００５５】
デマッピング部１１２は、入力された信号から端末２００に割り当てたPUSCHのサブフレーム部分を抽出する。また、デマッピング部１１２は、抽出した端末２００のPUSCHのサブフレームをDMRSとデータシンボル（SC-FDMAデータシンボル）とに分解し、DMRSをチャネル推定部１１４に出力し、データシンボルを等化部１１５に出力する。さらに、デマッピング部１１２は、端末２００が当該PUSCHのサブフレームでサウンディング参照信号（SRS）を送信している場合、SRSを抽出して、抽出したSRSをCSI測定部１１３に出力する。なお、SRSが送信される場合、PUSCHのサブフレームの最終データシンボルがSRSで置き換えられているので、デマッピング部１１２は、SRSとデータシンボルとを分離すればよい。
【００５６】
CSI測定部１１３は、デマッピング部１１２からSRSが入力された場合、SRSを用いてCSI測定を行う。CSI測定部１１３は、得られたCSI測定結果を制御部１０１に出力する。
【００５７】
チャネル推定部１１４は、デマッピング部１１２から入力されるDMRSを用いてチャネル推定を行う。チャネル推定部１１４は、得られたチャネル推定値を等化部１１５に出力する。
【００５８】
等化部１１５は、チャネル推定部１１４から入力されるチャネル推定値を用いて、デマッピング部１１２から入力されるSC-FDMAデータシンボルの等化を行う。等化部１１５は、等化後のSC-FDMAデータシンボルをIDFT部１１６へ出力する。
【００５９】
IDFT部１１６は、等化部１１５から入力される、周波数領域のSC-FDMAデータシンボルに対して、割当帯域幅に応じた帯域幅のIDFTを適用し、時間領域信号へ変換する。IDFT部１１６は、得られた時間領域信号を復調部１１７へ出力する。
【００６０】
復調部１１７は、IDFT部１１６から入力される時間領域信号に対してデータ復調を行う。具体的には、復調部１１７は、端末２００に指示した変調方式に基づいてシンボル系列をビット系列へ変換し、得られたビット系列を復号部１１８へ出力する。
【００６１】
復号部１１８は、復調部１１７から入力されるビット系列に対して誤り訂正復号を行い、復号後のビット系列を判定部１１９へ出力する。
【００６２】
判定部１１９は、復号部１１８から入力されるビット系列に対して誤り検出を行う。誤り検出は、ビット系列に付加されたCRCビットを用いて行われる。判定部１１９は、CRCビットの判定結果が誤り無しであれば、受信データを取り出し、制御部１０１にACKを通知する。一方、判定部１１９は、CRCビットの判定結果が誤り有りであれば、制御部１０１にNACKを通知する。
【００６３】
［端末２００の構成］
図１０は、端末２００の要部を示すブロック図である。
【００６４】
図１０に示す端末２００は、受信部２１、制御信号抽出部２２、制御部２３、DMRS生成部２４及び送信部２５を備える。
【００６５】
端末２００には、PUSCH送信の前に、Reduced DMRSが指示され得ることを予め通知される。この通知は基地局１００から上位レイヤなどで行われてもよい。又は、特定の制御チャネル又は特定のConfigurationでUL grantが送受信される場合又は特定の端末２００の状態でPUSCHの送信が行われる場合にReduced DMRSが使用されると規定してもよい。この場合、上位レイヤの通知が不要となるのでオーバーヘッドを抑えることができる。
【００６６】
受信部２１は、PDCCH又はEPDCCHにおいて端末２００向けに送信された制御信号（UL grant）を受信し、制御信号抽出部２２は、制御信号から、PUSCHサブフレームの割当に関する情報を取り出す。具体的には、制御信号抽出部２２は、予め設定された制御チャネルにおいて、制御信号の割当候補をブラインド復号し、端末２００の端末IDでマスキングされたCRCビットが付加された制御信号を復号できたら、当該制御信号を、端末２００宛の制御情報として抽出する。制御情報には、周波数リソースブロック（RB）割当情報、変調方式、初回送信か再送かを示す情報、HARQのプロセス番号、A-SRSトリガ（Aperiodic SRS送信要求）、及び、送信電力増減要求（TPCコマンド）などが含まれる。
【００６７】
制御部２３は、抽出した制御情報（UL grant）に基づいて、PUSCHのサブフレーム構成を決定する。また、制御部２３は、PUSCHの送信時に用いるDMRSがLegacy DMRSの場合、Rel.11以前と同様の送信電力を設定する。一方、制御部２３は、PUSCHの送信時に用いるDMRSがReduced DMRSの場合、追加データリソース以外のリソースにマッピングされるデータの送信電力（送信電力密度）にオフセットを加えて、追加データリソースにマッピングされるデータの送信電力（送信電力密度）を制御する。具体的には、制御部２３は、追加データリソースにおいて、負のオフセットを用いて、他のリソースの送信電力（送信電力密度）よりも小さな送信電力（送信電力密度）を設定する。DMRS生成部２４は、制御部２３からの指示に従ってDMRSを生成し、送信部２５は、制御部２３からの指示に従って、DMRSを含むPUSCHサブフレームの信号を送信する。
【００６８】
すなわち、制御部２３は、Legacy DMRS pattern（DMRSの第１の配置パターン）においてDMRSがマッピングされるリソースの一部のリソースが追加データリソースに置き換えられたReduced DMRS pattern（第２の配置パターン）を用いる場合、上記一部のリソース以外のリソースにマッピングされるデータ（第１のデータ）の送信電力（送信電力密度）にオフセットを加えて、上記一部のリソースにマッピングされる追加データ（第２のデータ）の送信電力（送信電力密度）を制御し、送信部２５は、上記第１のデータ、前記第２のデータ及びDMRSを含む信号を送信する。
【００６９】
図１１は、端末２００の詳細を示すブロック図である。
【００７０】
図１１に示す端末２００は、無線受信部２０１、CP除去部２０２、FFT部２０３、制御信号抽出部２０４、制御部２０５、符号化部２０６、変調部２０７、DMRS生成部２０８、SRS生成部２０９、多重部２１０、DFT（Discrete Fourier Transform）部２１１、マッピング部２１２、IFFT部２１３、CP付加部２１４及び無線送信部２１５を備える。
【００７１】
これらのうち、無線受信部２０１、CP除去部２０２及びFFT部２０３が主に受信部２１（図１０）として機能する。また、符号化部２０６、変調部２０７、SRS生成部２０９、多重部２１０、DFT部２１１、マッピング部２１２、IFFT部２１３、CP付加部２１３及び無線送信部２１５が主に送信部２５（図１０）として機能する。また、制御信号抽出部２０４は制御信号抽出部２２として機能し、制御部２０５は制御部２３として機能し、DMRS生成部２０８はDMRS生成部２４として機能する。
【００７２】
図１１に示す端末２００において、無線受信部２０１は、基地局１００（図９）から送信された制御信号（PDCCH又はEPDCCH）をアンテナを介して受信し、制御信号に対してダウンコンバート及びA/D変換等の受信処理を行い、受信処理後の制御信号をCP除去部２０２へ出力する。
【００７３】
CP除去部２０２は、無線受信部２０１から入力される制御信号において、PDCCH又はEPDCCHを含む下り回線サブフレームの信号からCPを除去し、CP除去後の信号をFFT部２０３へ出力する。
【００７４】
FFT部２０３は、CP除去部２０２から入力された信号（下り回線サブフレーム）に対してFFTを適用し、周波数領域信号へ変換する。FFT部２０３は、周波数領域信号を、制御信号抽出部２０４へ出力する。
【００７５】
制御信号抽出部２０４は、FFT部２０３から入力される周波数領域信号（PDCCH又はEPDCCH）に対してブラインド復号を行い、制御信号の復号を試みる。端末２００宛の制御信号には、端末２００の端末IDでマスキングされたCRCが付加されている。したがって、制御信号抽出部２０４は、ブラインド復号した結果、CRC判定がOKであればその制御信号を抽出して制御部２０５へ出力する。
【００７６】
制御部２０５は、制御信号抽出部２０４から入力される制御信号に基づいて、PUSCH送信の制御を行う。
【００７７】
具体的には、制御部２０５は、制御信号に含まれるPUSCHのRB割当情報に基づいて、PUSCH送信時のRB割当をマッピング部２１２に指示する。また、制御部２０５は、制御信号に含まれる符号化方法及び変調方式の情報に基づいて、PUSCH送信時の符号化方法及び変調方式を符号化部２０６及び変調部２０７にそれぞれ指示する。また、制御部２０５は、制御信号に含まれるSRSトリガに基づいて、一定時間経過後にSRSを送信するか否かをSRS生成部２０９に指示する。このSRSトリガで指示されるSRSは、UL grantで指示されるPUSCHサブフレームに多重されて送信される場合もあり、そのサブフレームよりも後の時間に送信される場合もある。また、制御部２０５は、上位レイヤなどを介して通知されるDMRSパターン（Legacy DMRS又はReduced DMRS）をDMRS生成部２０８に指示する。
【００７８】
また、制御部２０５は、PUSCHサブフレームにおける各信号（データ及びDMRS）の送信電力（送信電力密度）を制御する。具体的には、制御部２０５は、制御信号に含まれる送信電力増減要求（TPCコマンド）、及び、PUSCH送信時に用いるDMRSパターンに基づいて、PUSCHの送信電力を制御する。例えば、制御部２０５は、PUSCH送信時にReduced DMRSを用いる場合、基地局１００から上位レイヤなどを介して通知されるオフセットを用いて、追加データリソースにおけるのDMRSの送信電力（送信電力密度）を決定する。PUSCHの送信電力制御の詳細については後述する。
【００７９】
符号化部２０６は、入力された送信データに対して端末IDでマスキングされたCRCビットを付加し、誤り訂正符号化を行う。なお、符号化部２０６が使用する符号化率及び符号語長などは制御部２０５から指示される。符号化部２０６は、符号化後のビット系列を変調部２０７へ出力する。
【００８０】
変調部２０７は、符号化部２０６から入力されるビット系列を変調する。なお、変調部２０７が使用する変調レベル（すなわち変調多値数）などは制御部２０５から指示される。変調部２０７は、変調されたデータシンボル系列を多重部２１０に出力する。
【００８１】
DMRS生成部２０８は、制御部２０５から指示されたDMRSパターンに従ってDMRSを生成し、DMRSを多重部２１０に出力する。
【００８２】
SRS生成部２０９は、制御部２０５からの指示に従ってSRSを生成し、SRSを多重部２１０に出力する。なお、SRSの送信タイミングはUL grantが指示するPUSCHサブフレームと同一であるとは限らない。
【００８３】
多重部２１０は、変調部２０７、DMRS生成部２０８及びSRS生成部２０９からそれぞれ入力されるデータシンボル系列、DMRS及びSRSを多重し、多重後の信号をDFT部２１１へ出力する。
【００８４】
DFT部２１１は、多重部２１０から入力される信号に対してDFTを適用して、当該信号をサブキャリア単位の周波数成分の信号に分解し、得られる周波数成分の信号をマッピング部２１２へ出力する。
【００８５】
マッピング部２１２は、制御部２０５からの指示に従って、DFT部２１１から入力される信号（すなわちデータシンボル系列、DMRS及びSRS）を、割り当てられたPUSCHサブフレーム内の時間・周波数リソースにマッピングする。マッピング部２１２は、PUSCHサブフレームの信号をIFFT部２１３へ出力する。
【００８６】
IFFT部２１３は、マッピング部２１２から入力される周波数領域のPUSCHサブフレームの信号に対してIFFTを適用し、時間領域信号へ変換する。IFFT部２１３は、得られた時間領域信号をCP付加部２１４へ出力する。
【００８７】
CP付加部２１４は、IFFT部２１３から入力される時間領域信号（IFFT部２１３の出力単位毎）にCPを付加し、CP付加後の信号を無線送信部２１５へ出力する。
【００８８】
無線送信部２１５は、CP付加部２１４から入力された信号に対してD/A変換及びアップコンバート等の送信処理を行い、送信処理後の信号をアンテナを介して基地局１００へ送信する。なお、PUSCHサブフレームの信号は、制御部２０５で制御された送信電力によって送信される。
【００８９】
［動作］
本実施の形態の基地局１００及び端末２００の処理フローをステップ（１）〜（４）で説明する。
【００９０】
ステップ（１）：基地局１００は、PUSCHの送受信よりも前に、Reduced DMRSの使用が指示され得ることを端末２００に通知する。Reduced DMRSの使用は、上位レイヤなどの通知により準静的に指示されてもよく、UL grantなどの制御信号に含まれる制御ビットにより動的に指示されてもよい。
【００９１】
動的な指示が可能な場合には、例えば、端末２００に対してLegacy DMRSを使用させることでRel.11以前の端末との空間多重を行ったり、端末２００に対してReduced DMRSを使用させることでオーバーヘッドを削減したりと、スケジューラによってより柔軟なDMRSの切替が可能となる。これにより、セルスループット及び端末スループットの同時改善が図れる。また、Reduced DMRSには、複数のパターンが予め設定され、複数のパターンの中から１つのパターンが準静的又は動的に指示されてもよい。
【００９２】
また、基地局１００は、Reduced DMRSが使用される際、追加データリソースの送信電力（送信電力密度）を設定するための電力（電力密度）オフセットを端末２００に通知する。
【００９３】
なお、ステップ（１）における端末２００への通知は、PUSCHの送受信を行う基地局１００によって行われてもよく、PUSCHの送受信を行う基地局以外の基地局１００によって行われてもよい。例えば、PUSCHの送受信を行う基地局１００が小型セル基地局であり、ステップ（１）の通知を行う基地局がマクロセル基地局であってもよい。
【００９４】
ステップ（２）：基地局１００は、PDCCH又はEPDCCHを介して、端末２００に制御信号（UL grant）を送信し、PUSCHの割当を指示する。UL grantには、PUSCHの割当帯域幅、MCSレベル、送信電力増減要求などを行う制御ビットが含まれる。
【００９５】
ステップ（３）：端末２００は、ステップ（２）において受信したPDCCH又はEPDCCHをブラインド復号し、自端末宛の制御信号（UL grant）を得る。UL grantで指示されたPUSCHサブフレームの送信に対して、Reduced DMRSが指定されている場合、端末２００（制御部２０５）は、通常の送信電力制御（Legacy DMRSに対する制御）に加え、追加データリソース部分に対する送信電力制御を行う。
【００９６】
追加データリソースに対する送信電力制御では、通常の送信電力に対して、負の送信電力（送信電力密度）のオフセットが与えられる。具体的には、端末２００は、Reduced DMRS patternを用いる場合、追加データリソース以外のリソースにマッピングされるデータの送信電力（送信電力密度）にオフセットを加えて、追加データリソースにマッピングされるデータの送信電力（送信電力密度）を制御する。
【００９７】
追加データリソースに対して電力オフセットが加えられる場合、追加データリソースの送信電力P~は、例えば、次式（１）で表される。
【数１】
2014192860.tif 000003
【００９８】
ここでPCMAXは端末２００の最大許容送信電力を示し、Mは端末２００に割り当てられたRB数（つまり、割当帯域幅）、P(j){j=0, 1, 2}は上位レイヤから通知される電力オフセット値を示し、α(j){j=0, 1, 2}は0〜1の値をとるパスロス補償係数を示し、PLは接続セルから端末２００までのパスロス測定値を示す。ΔTFはMCSレベルに応じて定まる電力オフセット値を示し、fはTPCコマンドの累積値を示す。また、Xは追加データリソースに対する電力オフセットを示す。
【００９９】
X=0の場合、追加データリソースの送信電力P~は、追加データリソース以外の部分における送信電力に一致し、これはRel.11以前の送信電力式と同一である。
【０１００】
図１２Ａは、Reduced DMRS pattern (1)を用いた場合の送信電力を示す。図１２Ａに示すように、追加データリソース部分では、他のリソースの送信電力と比較して、X［dBm］だけ低く設定される。すなわち、端末２００（制御部２０５）は、他のリソースにマッピングされるデータの送信電力を電力オフセットXだけ減少させた値を、追加データリソースにマッピングされるデータ（追加データ）の送信電力に設定する。
【０１０１】
一方、追加データリソースに対して電力密度オフセットが加えられる場合、追加データリソースの送信電力P~は、例えば、次式（２）で表される。
【数２】
2014192860.tif 000004
【０１０２】
ここでX’は電力密度オフセット［mW/RB］を示し、M’は割り当てられたPUSCH帯域内（M）における追加データリソースの帯域幅を示す。
【０１０３】
図１２Ｂは、Reduced DMRS pattern (3)を用いた場合の送信電力を示す。図１２Ｂに示すように、追加データリソースに相当する帯域では、他のリソースの送信電力密度と比較して、X'［mw/RB］だけ低く設定される。すなわち、端末２００（制御部２０５）は、他のリソースにマッピングされるデータの送信電力密度を電力密度オフセットX'だけ減少させた値を、追加データリソースにマッピングされるデータ（追加データ）の送信電力密度に設定する。
【０１０４】
式（１）では、端末２００の電力オフセットは常に同じであるのに対して、電力密度オフセット量は割当帯域幅に応じて変わる。これに対して、式（２）では、端末２００の電力オフセットは割当帯域幅に応じて変わるのに対して、電力密度オフセット量は常に同じである。
【０１０５】
ステップ（４）：基地局１００は、ステップ（３）において端末２００が送信したPUSCHを受信し、PUSCHサブフレームから抽出したDMRSに基づいてチャネル推定を行う。基地局１００は、得られたチャネル推定値を用いて、データシンボルの等化、復調及び復号を行う。
【０１０６】
データを正しく復号できたと判定した場合、基地局１００は、端末２００にACKを送信し、次のデータの送信を促す。データの復号結果に誤りが含まれると判定した場合、基地局１００は、端末２００にNACKを送信し、HARQの再送を促す。
【０１０７】
［効果］
以上のように、端末２００は、Legacy DMRSの一部のDMRSがデータに置き換えられたReduced DMRS patternを用いる場合、DMRSがデータに置き換えられたリソース（追加データリソース）の送信電力を、追加データリソース以外のリソースの送信電力よりも低く設定する。
【０１０８】
セル端に位置する端末又は高速移動中の端末など、チャネル状態の良くない（又は、高いチャネル推定精度が必要な）端末はLegacy DMRSを用いる。このため、Reduced DMRSを用いる端末２００が、Legacy DMRSにおけるDMRSに相当するデータリソースの送信電力を低減することにより、Legacy DMRSを用いる端末への干渉を低減することができる。これにより、Reduced DMRSを用いる端末２００では追加データリソースを用いてデータレートを向上させることができ、同時に、周辺セルでLegacy DMRSを用いる端末に対する追加データリソースでのDMRSへの干渉を低減できる。このように、本実施の形態によれば、Legacy DMRSとは異なるDMRSパターンであるReduced DMRSを送信する場合に、周辺セルの端末に与える干渉の影響を低減することができる。
【０１０９】
また、本実施の形態では、Reduced DMRS patternにおいて、DMRSがデータに置き換えられた追加データリソースの送信電力のみが他のリソースよりも低く設定される。すなわち、追加データリソース以外のリソースにマッピングされたDMRSの送信電力は低減されないので、チャネル推定精度の劣化、及び、端末２００の通信容量を劣化は生じない。したがって、周辺セルでLegacy DMRSを用いる端末の通信品質を劣化させること無く、Reduced DMRSを用いる端末２００の通信速度を向上させることができる。
【０１１０】
また、式（１）のように固定の電力オフセットが使用される場合には、電力密度オフセット量はPUSCHの割当帯域幅によって変わる。すなわち、割当帯域幅（又は追加データリソースの割当帯域幅）が広いほど、電力密度オフセット量は小さくなる。ここで、広帯域又はより多くのリソースが追加データに割り当てられるのは、端末２００と基地局１００との距離が近い場合又はチャネル状態が良い場合などである。このような場合、端末２００と周辺セルとの距離は相対的に遠くなり、端末２００の追加データによる他セルへの与干渉が小さくなるので、電力密度オフセット量（すなわち、送信電力密度の低減度合）が小さくなっても他セルの端末への干渉は問題とならず、電力密度オフセット量が小さくなる分、復調精度が上がるメリットがある。
【０１１１】
また、式（２）のように固定の電力密度オフセットが使用される場合には、電力オフセット量はPUSCHの割当帯域幅によって変わる。ここで、送信信号のカバレッジは送信電力密度によって定まる。よって、電力密度オフセットを固定とすることにより、端末２００の追加データが周辺セルに与える干渉を割当帯域幅に依存しないようにすることができる。
【０１１２】
なお、端末２００は、追加データリソースの部分の送信電力のみを他のリソースの送信電力と異ならせるのではなく、追加データリソース前後のSC-FDMAシンボル時点から送信電力を変化させる動作を行ってもよい。これにより、電力遷移に伴う送信電力の不安定区間が追加データリソース区間に重複することによる伝送品質の劣化を回避することができる。
【０１１３】
［バリエーション１］
バリエーション１では、UL grantに含まれるDMRSパターンを指示する制御ビット（DPI（DMRS Pattern Indicator））によって、PUSCH送信時のDMRSパターン、及び、追加データリソース部分の電力（電力密度）オフセットが通知される。
【０１１４】
すなわち、基地局１００は、端末２００へDPIを通知することによって、DMRSパターンと電力（電力密度）オフセットとを同時に指示できる。この際、１つ又は複数の電力（電力密度）オフセット量は、基地局１００から端末２００へ上位レイヤなどにより予め通知されている。また、DPIによって通知可能な複数のDMRSパターンには、例えば、Legacy DMRS pattern及びReduced DMRS patternが含まれ、この複数のDMRSパターン候補は、基地局１００から端末２００へ上位レイヤなどにより予め通知されている。
【０１１５】
端末２００は、複数のDMRSパターンのうちの端末２００が用いるDMRSパターンと、電力（電力密度）オフセットとを指示するDPIを受信し、DPIの値に対応するDMRSパターンを決定するとともに、DPIの値に対応するオフセットを用いて、追加データリソース部分の送信電力（送信電力密度）を制御する。図１３は、DPIと、DMRSパターン及び電力オフセットXとの対応関係の一例を示す。なお、図１３では、電力オフセット［dBm］が対応付けられているが、代わりに電力密度オフセットが対応付けられてもよい。
【０１１６】
Reduced DMRSの適切なDMRSパターンは、端末２００の状況又は干渉状態に応じて異なる。したがって、端末２００に対して、複数のDMRSパターンが動的に切り替えられる場合が想定される。一方、DMRSパターンによって適切な電力（電力密度）オフセット量は異なる。したがって、DPIによってDMRSパターンと電力（電力密度）オフセット量とを同時に切り替えることにより、より柔軟かつ適切な電力オフセットをDMRSパターン毎に与えることが可能となる。また、DMRSパターンを指示するためのDPIを用いてオフセットを通知することにより、オフセットを指示するための追加の制御ビットが不要なのでオーバーヘッドの増加が生じない。
【０１１７】
また、図１３に示すようなDPI（２ビット）では４種類の組み合わせを設定できるので、同一のDMRSパターンに複数の電力（電力密度）オフセットを設定することも可能である。これにより、端末２００の状態又は与干渉の状態に応じて同一のDMRSパターンであっても異なるオフセットを設定可能となり、重要なデータの場合にはオフセットを小さくしたり、与干渉を減らしたいサブフレームではオフセットを大きくしたり、オフセットを動的に設定することができる。
【０１１８】
［バリエーション２］
バリエーション２では、端末２００は、UL grantによって指示されたPUSCHの割当帯域幅に応じて、追加データリソースにおける電力（電力密度）オフセット量を変更する。
【０１１９】
例えば、図１４に示すように、広帯域割当の場合にはオフセット量を小さくし、狭帯域割当の場合にはオフセット量を大きくする。すなわち、PUSCHに割り当てられた帯域幅が広いほど、電力（電力密度）オフセットは小さくなる。
【０１２０】
なお、割当帯域幅とオフセット量との対応関係は、表又は式で規定されてもよい。図１５は、各割当帯域幅（PUSCHの割当RB数）に対応する電力オフセット量X［dBm］が表で与えられる場合の例を示す。図１５において、NRBULは上り回線のシステム帯域幅を表す。
【０１２１】
また、次式（３）は、電力オフセット量X［dBm］が数式で与えられる場合の例を示す。
【数３】
2014192860.tif 000005
【０１２２】
ここで、Pminは端末２００の最小送信電力を表し、xは規定値又は上位レイヤ等で通知される値であり、割当帯域幅に逆比例する送信電力オフセットの係数を表す。
【０１２３】
なお、図１５及び式（３）は電力オフセットの場合について示すが、電力オフセットを、電力密度オフセットで置き換えてもよい。
【０１２４】
UL grantによって広い帯域が割り当てられるのは、端末２００と受信局（例えば基地局１００）との距離が非常に近い場合又はチャネル状態が非常に良い場合などである。このような場合、端末２００と周辺セルとの距離は相対的に遠くなり、端末２００の追加データによる他セルへの与干渉も小さくなる。よって、端末２００に対して広い帯域が割り当てられる場合に、追加データリソースにおける送信電力（送信電力密度）のオフセットを小さくしても、周辺セルに大きな影響を与えない。一方で、追加データリソースにおける送信電力（送信電力密度）のオフセットを小さくする分、当該端末２００の追加データリソースにより大きな電力を割り当てることができるので、追加データリソース部分のデータを高品質に送受信することができる。
【０１２５】
これに対して、UL grantによって狭い帯域が割り当てられるのは、端末２００と周辺セルとの距離が近い場合が考えられ、この場合、端末２００の追加データによる他セルへの与干渉も大きくなる。よって、端末２００に対して狭い帯域が割り当てられる場合に、追加データリソースにおける送信電力（送信電力密度）のオフセットを大きくすることで周辺セルへの与干渉を低減することができる。
【０１２６】
このように、端末２００の環境に合わせてオフセットを設定することにより、端末２００の通信品質向上及び周辺セルへの与干渉低減の双方を実現できる。
【０１２７】
［バリエーション３］
上記実施の形態では、オフセットを用いて、追加データリソース部分の送信電力（送信電力密度）を、他のリソース部分の送信電力（送信電力密度）よりも低くする場合について説明した。これに対して、バリエーション３では、オフセットを用いて、追加データリソース部分の送信電力（送信電力密度）を、ゼロ（つまり、データ無送信）とする場合、及び、他のリソース部分の送信電力（送信電力密度）よりも高くする場合について説明する。
【０１２８】
追加データリソースにマッピングされる追加データの送信電力をゼロにする電力オフセットXは式（４）で表される。また、追加データリソースにマッピングされる追加データの送信電力を追加データリソース以外のリソースにマッピングされるデータの送信電力よりも大きな電力にする電力オフセットXは式（５）で表される。
【数４】
2014192860.tif 000006
【数５】
2014192860.tif 000007
【０１２９】
すなわち、端末２００（制御部２０５）は、式（１）において、追加データリソース以外のリソースにマッピングされるデータの送信電力に式（４）又は式（５）に示す電力オフセットXを加えて、追加データの送信電力を制御する。
【０１３０】
式（４）に示すオフセットXを用いることで、端末２００は、追加データリソース部分の送信電力をゼロにする。これにより、周辺セルに与える干渉を最小化できる。また、例えば、異なる端末間において、電力ゼロの送信電力制御とReduced DMRSパターンの設定とを適切に組み合わせることにより、各端末のReduced DMRS同士を時間又は周波数で直交多重することができる。図１６は、２つの端末間でDMRSを周波数で直交多重した例を示す。図１６では、端末Ａは、Reduced DMRS pattern (3)（図４Ｄ）が指示され、かつ、追加データリソース部分の送信電力がゼロに設定されている。一方、端末Ｂは、Reduced DMRS pattern (3x)が指示され、かつ、追加データリソース部分の送信電力がゼロに設定されている。なお、Reduced DMRS pattern (3x)は、割り当てられた帯域幅よりも短い系列長のDMRSをSC-FDMAシンボル中に分散マッピングする点ではReduced DMRS pattern (3)と同様であり、周波数領域において、Reduced DMRS pattern (3)におけるDMRSと直交している点が異なる。つまり、図１６では、一方の端末のDMRSが割り当てられる帯域には、他方の端末のデータが割り当てられていない。
【０１３１】
このように、電力オフセット及びReduced DMRSパターンの２つのパラメータの設定によって、オーバーヘッドの低減による当該端末２００のデータレート向上と、DMRSリソース削減による複数の端末間のDMRS直交多重とを、柔軟に実現できる。
【０１３２】
なお、図１６では、複数の端末間において周波数でDMRSを直交多重させる場合について説明したが、複数の端末間において時間領域でDMRSを直交多重させてもよい。
【０１３３】
また、式（５）に示すオフセットを用いることで、端末２００が追加データリソース以外のリソースにマッピングされるデータの送信電力をオフセットだけ増加させた値を、追加データリソースにマッピングされるデータの送信電力に設定する。これにより、基地局１００との距離が近い端末２００、又は、孤立セルに位置して、周辺セルへの干渉がほぼ無視できる端末２００の受信品質を向上させることができる。Reduced DMRSは、周辺セルへの干渉が無視できる環境で使用されやすい。したがって、Reduced DMRSを用いることにより新たに得られる追加データリソース部分に大きな電力を与えることにより、周辺セルへの干渉が無視できる端末２００の通信品質を改善できる。
【０１３４】
なお、与えられるオフセットの値が上位レイヤなどで通知されることを考慮すれば、オーバーヘッドの影響は無視できるほど小さい。
【０１３５】
（実施の形態２）
［通信システムの概要］
本実施の形態に係る通信システムは、実施の形態１（図７）と同様、基地局１００と１つ又は複数の端末２００とから構成される。
【０１３６】
本実施の形態では、追加データリソース部分に対して、電力（電力密度）オフセットが加えられるとともに、追加データ以外のデータと異なる基準に基づいてMCSレベルが設定される。
【０１３７】
［基地局１００の構成］
基地局１００の制御部１０１は、端末２００に対して、Reduced DMRSを用いる際の追加データリソース部分に用いるMCSレベルを、上位レイヤなどで予め通知する。追加データリソース部分に用いられるMCSレベルは、Reduced DMRSのパターン又は割当帯域幅に応じて設定されてもよい。例えば、制御部１０１は、DMRSのリソース数が少ないReduced DMRSパターンであるほど、高いMCSレベルを設定することで、チャネル状態が良い端末２００に対して、より周波数利用効率の良いMCSレベルを指示することができる。
【０１３８】
制御部１０１は、追加データリソース部分以外のリソースに対しては、Rel.11以前と同様にUL grantに含まれるMCSインデックスを用いてMCSレベルを指示する。
【０１３９】
［端末２００の構成］
端末２００の制御部２０５は、Reduced DMRSを用いる場合、追加データリソース部分以外のデータのMCSレベルとは異なる基準に基づいて、追加データリソース部分に用いるMCSレベルを設定する。例えば、制御部２０５は、追加データリソース部分以外に用いるMCSレベルとして、UL grantで指示されるMCSレベルを用いる。一方、制御部２０５は、追加データリソース部分に用いるMCSレベルとして、上位レイヤで基地局１００から予め通知されるか、Reduced DMRSパターン及び割当帯域幅に応じて予め定められているMCSレベルを用いる。
【０１４０】
符号化部２０６及び変調部２０７は、制御部２０５が設定したMCSレベルを用いてデータの符号化及び変調をそれぞれ行う。
【０１４１】
［動作］
本実施の形態の基地局１００及び端末２００の動作について説明する。本実施の形態に係る基地局１００及び端末２００の処理フローは、ステップ（１）〜（４）とほぼ同様である。ただし、端末２００がReduced DMRSを用いる際のMCSレベルの設定動作が実施の形態１と異なる。
【０１４２】
図１７は、Reduced DMRS pattern (1)を用いて、追加データリソース部分に電力オフセットX［dBm］を加えた場合の送信電力（図１７Ａ）及びMCSレベル（図１７Ｂ）を示す。
【０１４３】
端末２００は、追加データリソース以外のリソースのデータに対するMCSレベルとして、UL grantに含まれるMCSインデックスに対応するMCSレベルを設定する。例えば、図１７Ｂに示すように、UL grantで指示されるMCSインデックスが大きいほど、周波数利用効率がより高いMCSレベルが指示される。
【０１４４】
一方、端末２００は、追加データリソースのデータに対するMCSレベルとして、上位レイヤで別途通知された固定の値を設定する。例えば、図１７Ｂでは、追加データリソースのデータには、UL grantで指示されるMCSインデックスによらず、固定のMCSレベルが用いられる。すなわち、端末２００は、追加データリソース部分では、MCSインデックスの指示に依らないMCSレベルを用いて符号化・変調を行う。
【０１４５】
このように、端末２００は、追加データリソース以外のデータにはUL grantに含まれるMCS指示ビットの値に対応するMCSレベルを設定するのに対して、追加データリソース部分のデータには、別途上位レイヤで与えられたMCSレベルを設定する。なお、実施の形態１と同様、追加データリソース部分には、電力オフセットの代わりに、電力密度オフセットが加えられてもよい。
【０１４６】
［効果］
追加データリソース部分では、電力（電力密度）オフセットにより送信電力（送信電力密度）が低下し、受信側（基地局１００）での信号対干渉雑音電力比（SINR）が低くなりやすい。また、追加データリソース部分に相当するSC-FDMAシンボルでは、他のリソースとの電力の切替遷移により信号波形が不安定になる。よって、負の電力オフセットが加えられる追加データリソース部分では、周波数利用効率の高いMCSレベルでは復調・復号が正常に行われない可能性が高くなる。
【０１４７】
これに対して、本実施の形態では、追加データリソース部分のMCSレベルを、予め規定されたMCSレベル又は上位レイヤで通知されたMCSレベルとする。これにより、基地局１００は、追加データリソース部分では、一定の品質でデータを受信することができるので、追加データリソース部分の誤り率の増加を抑圧することができる。こうすることで、再送の必要性が低下し、高いデータレートを実現できる。
【０１４８】
また、本実施の形態では、追加データリソース以外の部分のMCSレベルをPUSCHの割当毎に動的に変更しつつ、追加データリソース部分のMCSレベルを準静的に固定することができる。これにより、受信品質の確保と、動的かつ可変なデータレートの実現が容易になる。すなわち、端末２００の状態に応じた適切なMCSレベルの選択が可能となる。
【０１４９】
［バリエーション１］
バリエーション１では、端末２００（制御部２０５）は、追加データリソース以外の部分のMCSレベルにオフセットを加えて、追加データリソース部分のMCSレベルを制御する。MCSレベルのオフセットは、上位レイヤにおいて通知されてもよい。
【０１５０】
図１８は、図１７と同様、Reduced DMRS pattern (1)を用いて、追加データリソース部分に電力オフセットX［dBm］を加えた場合の送信電力（図１８Ａ）及びMCSレベル（図１８Ｂ）を示す。
【０１５１】
端末２００は、追加データリソース以外のリソースのデータに対するMCSレベルとして、UL grantに含まれるMCSインデックスに対応するMCSレベルを設定する。
【０１５２】
一方、端末２００は、追加データリソースのデータに対するMCSレベルとして、UL grantで指示されるMCSレベルから、オフセットに相当する分だけ低いMCSレベルを設定する。すなわち、端末２００は、追加データリソース部分では、UL grantで指示されたMCSインデックスにオフセットを加えて得られるMCSインデックスに対応するMCSレベルを用いて符号化・変調を行う。
【０１５３】
なお、MCSレベルのオフセット量は、PUSCHの割当帯域幅、又は、追加データリソース部分の電力（電力密度）オフセットの関数により規定されてもよい。この場合、UL grantで指示される割当帯域幅、又は、追加データリソース部分の電力（電力密度）オフセットに応じて、追加データリソース部分と他の部分とのMCSレベルの差異を変更できる。こうすることで、端末２００は、追加データリソース部分において、より適切なMCSレベルを用いてデータを送信することができる。
【０１５４】
［効果］
バリエーション１によれば、追加データリソース部分のMCSレベルをUL grantで指示されるMCSレベルに追従させることができる。これにより、追加データリソース部分では、追加データリソース以外の部分と同様にして、PUSCH割当毎に動的にMCSレベルが変わる。すなわち、端末２００の状況に応じて、MCSレベルを変えることができ、データレートを柔軟に変えることができる。例えば、状態の良い端末２００又は高スループットを求める端末２００では、より柔軟なデータレートでPUSCHを送信することができる。
【０１５５】
なお、UL grantで指示されるMCSレベルが十分低いとき、追加データリソース部分のMCSレベルが使用可能なMCSレベルの範囲を外れてしまう場合がある。このようなMCSレベルがUL grantで指示された場合には、追加データリソース部分におけるMCSレベルとして、予め定められたMCSレベルを用いてもよい。予め定められたMCSレベルは、例えば、最も低い周波数利用効率にてデータ伝送が可能なMCSレベルである（例えば、図１８Ｂ参照）。これにより、端末２００は、UL grantで指示されるMCSレベルに関わらず、追加データリソースのMCSレベルを適切に設定してデータを送信できる。すなわち、端末２００は、UL grantのMCSレベルに関わらず常に追加データリソース部分でデータを送信することができる。これにより、基地局１００は、追加データリソース部分への影響を考慮せずにUL grantのMCSレベルを設定できるので、より柔軟なスケジューリングが可能となる。
【０１５６】
また、端末２００は、UL grantで指示されるMCSレベルが十分低く、追加データリソース部分のMCSレベルが使用可能なMCSレベルの範囲を外れてしまう場合には、Legacy DMRSを用いてもよい。低いMCSレベルが使用されるのは、チャネル状態が悪い場合又は高データレートが不要な場合などであることが多いため、Legacy DMRSを用いることによるデメリットは小さい。一方、Legacy DMRSを用いることにより、劣悪なチャネル状態に起因するチャネル推定精度の劣化を回避することができる。図１９は、図１８と同様、Reduced DMRS pattern (1)を用いて、追加データリソース部分に電力オフセットX［dBm］を加えた場合の送信電力（図１９Ａ）及びMCSレベル（図１９Ｂ）を示す。図１９Ｂに示すように、UL grantで指示されるMCSレベルが所定の閾値以下であり十分低い場合、端末２００は、Legacy DMRSを用いる。例えば、図１９Ｂに示すように、所定の閾値として、UL grantで指示されたMCSレベルをオフセットだけ低くしたレベルが最も低い周波数利用効率のMCSレベルに相当するようなMCSレベル（MCSインデックス）が設定されてもよい。UL grantで指示されるMCSレベルが所定の閾値より高い場合、端末２００は、Reduced DMRS patternを用いるとともに、UL grantで指示されるMCSレベル及びオフセットに基づいて得られるMCSレベルを用いる。
【０１５７】
［バリエーション２］
バリエーション２では、UL grantで指示されるMCSレベルと、追加データリソース部分におけるMCSレベルとの差異を、UL grantで指示されるMCSレベルに応じて異ならせる。
【０１５８】
図２０は、図１８と同様、Reduced DMRS pattern (1)を用いて、追加データリソース部分に電力オフセットX［dBm］を加えた場合の送信電力（図２０Ａ）及びMCSレベル（図２０Ｂ）を示す。
【０１５９】
図２０Ｂに示すように、UL grantで指示されるMCSレベルが十分低い場合（例えばMCSレベルが第１閾値以下の場合）、追加データリソース部分では、端末２００は、固定のMCSレベル（例えば、周波数利用効率が最も低いMCSレベル）を用いてデータを符号化・変調する。一方、UL grantで指示されるMCSレベルが高い場合（例えばMCSレベルが上記第１閾値より高い場合）、UL grantで指示されるMCSレベルに応じて、追加データリソース部分のMCSレベルが変更される。例えば、図２０Ｂに示すように、UL grantで指示されるMCSレベルが高いほど（MCSインデックスが大きいほど）、UL grantで指示されるMCSレベルと追加データリソース部分のMCSレベルとの差異をより小さくしてもよい。
【０１６０】
図２０Ｂに示すように、UL grantで指示されるMCSレベルが十分高い場合には、UL grantで指示されるMCSレベルと追加データリソース部分のMCSレベルとの差異が無くなり、同一MCSレベルとなる。換言すると、UL grantで指示されるMCSレベルが所定の閾値（例えば第２閾値）より高い場合には、追加データリソース部分のMCSレベルは、UL grantで指示されるMCSレベルと同一であり、UL grantで指示されるMCSレベルが第２閾値以下の場合には、追加データリソース部分のMCSレベルは、UL grantで指示されるMCSレベルよりも低い。
【０１６１】
こうすることで、UL grantで指示するMCSレベルに応じて、追加データリソース部分で送信できるデータレートをより大きく変化させることができる。これにより、バリエーション１と同様の効果に加え、状態の良い端末２００又は高データレートを要する端末２００には、UL grantで高いMCSレベルを指示することにより、更に高いスループットを実現でき、状態の悪い端末２００又は高データレートを要さない端末２００には、UL grantで低いMCSレベルを指示することにより、追加データリソース部分の品質を確保することができる。
【０１６２】
（実施の形態３）
［通信システムの概要］
本実施の形態に係る通信システムは、実施の形態１（図７）と同様、基地局１００と１つ又は複数の端末２００とから構成される。
【０１６３】
本実施の形態では、実施の形態１の処理に加え、Reduced DMRSを用いる際のDMRSに対して、正の電力（電力密度）オフセットが加えられる。
【０１６４】
［基地局１００の構成］
基地局１００の制御部１０１は、端末２００に対して、Reduced DMRSを用いる際のDMRSに加える送信電力（送信電力密度）オフセットを、上位レイヤなどで予め通知する。
【０１６５】
［端末２００の構成］
端末２００の制御部２０５は、Reduced DMRSを用いる場合、DMRSに対して、上位レイヤなどで予め通知された電力（電力密度）オフセットを加える。すなわち、制御部２０５は、Reduced DMRS patternを用いる場合、DMRSの送信電力（送信電力密度）を、追加データリソース以外のリソースにマッピングされるデータの送信電力（送信電力密度）よりも高く設定する。
【０１６６】
［動作］
本実施の形態の基地局１００及び端末２００の動作について説明する。本実施の形態に係る基地局１００及び端末２００の処理フローは、ステップ（１）〜（４）とほぼ同様である。ただし、端末２００は、Reduced DMRSを用いる場合、追加データリソース部分に対して、負の電力（電力密度）オフセットを加えるとともに、DMRSに対して、正の電力（電力密度）オフセットを加える点が実施の形態１と異なる。
【０１６７】
DMRSに対して電力オフセットが加えられる場合、Reduced DMRSでのDMRSの送信電力P^は、例えば、次式（６）で表される。
【数６】
2014192860.tif 000008
【０１６８】
ここでYはDMRSに対する電力オフセットを示す。Y=0の場合、DMRSの送信電力P^は、DMRS周辺のSC-FDMAシンボル（追加データリソース以外のデータ部分）における送信電力に一致し、これはRel.11以前の送信電力式と同一である。
【０１６９】
図２１Ａは、Reduced DMRS pattern (1)を用いた場合の送信電力を示す。図２１Ａに示すように、追加データリソース部分では他のリソースの送信電力と比較して、X［dBm］だけ低く設定され、DMRS部分では他のリソースの送信電力と比較して、Y［dBm］だけ高く設定される。すなわち、端末２００（制御部２０５）は、他のリソースにマッピングされるデータの送信電力を電力オフセットYだけ増加させた値を、DMRSの送信電力に設定する。
【０１７０】
一方、DMRSに対して電力密度オフセットが加えられる場合、DMRSの送信電力P^は、例えば、次式（７）で表される。
【数７】
2014192860.tif 000009
【０１７１】
ここでY’は電力密度オフセット［mW/RB］を示し、D’は割り当てられたPUSCH帯域内（M）におけるDMRSの帯域幅を示す。
【０１７２】
図２１Ｂは、Reduced DMRS pattern (3)を用いた場合の送信電力を示す。図２１Ｂに示すように、追加データリソースに相当する帯域では、他のリソースの送信電力密度と比較して、X'［mw/RB］だけ低く設定され、DMRSに相当する帯域では、他のリソースの送信電力密度と比較して、Y'［mw/RB］だけ高く設定される。すなわち、端末２００（制御部２０５）は、他のリソースにマッピングされるデータの送信電力密度を電力密度オフセットY'だけ増加させた値を、DMRSの送信電力密度に設定する。
【０１７３】
式（６）では、端末２００のDMRSの電力オフセットは常に同じであるのに対して、電力密度オフセット量は割当帯域幅に応じて変わる。これに対して、式（７）では、端末２００の電力オフセットは割当帯域幅に応じて変わるのに対して、電力密度オフセット量は常に同じである。
【０１７４】
なお、DMRSの電力（電力密度）オフセット量については、予め規定された値を用いてもよく、上位レイヤ等で端末２００に通知される値を用いてもよい。
【０１７５】
［効果］
これにより、Reduced DMRSでは、DMRSの送信電力の増加により、DMRSがマッピングされるリソースの減少に起因するチャネル推定精度の劣化を補償することができる。なお、DMRSは周辺セル間で相関が小さくなるように設計されているので、DMRSの送信電力（送信電力密度）を高くしても、周辺セルのDMRSに与える干渉の影響は小さい。
【０１７６】
また、端末２００は、DMRSの電力のみを増加させるのではなく、時間・周波数領域においてDMRSに隣接する無線リソースでも、DMRSの電力（電力密度）オフセットに応じて電の調整を行ってもよい。これにより、端末２００では、設定されたDMRSの送信電力で安定してDMRSを送信することが容易になる。
【０１７７】
［バリエーション１］
バリエーション１では、UL grantに含まれるDMRSパターンを指示する制御ビット（DPI（DMRS Pattern Indicator））によって、PUSCH送信時のDMRSパターン、及び、DMRSの電力（電力密度）オフセットが通知される。
【０１７８】
すなわち、基地局１００は、端末２００へDPIを通知することによって、DMRSパターンとDMRSの電力（電力密度）オフセットとを同時に指示できる。この際、１つ又は複数の電力（電力密度）オフセット量は、基地局１００から端末２００へ上位レイヤなどにより予め通知されている。また、DPIによって通知可能な複数のDMRSパターンには、例えば、Legacy DMRS pattern及びReduced DMRS patternが含まれ、この複数のDMRSパターン候補は、基地局１００から端末２００へ上位レイヤなどにより予め通知されている。
【０１７９】
端末２００は、複数のDMRSパターンのうちの端末２００が用いるDMRSパターンと、DMRSの電力（電力密度）オフセットとを指示するDPIを受信し、DPIの値に対応するDMRSパターンを決定するとともに、DPIの値に対応する、DMRSの電力（電力密度）オフセットを用いて、DMRSの送信電力（送信電力密度）を制御する。図２２は、DPIと、DMRSパターン及びDMRSの電力オフセットXとの対応関係の一例を示す。なお、図２２では、電力オフセット［dBm］が対応付けられているが、代わりに電力密度オフセットが対応付けられてもよい。
【０１８０】
Reduced DMRSの適切なDMRSパターンは、端末２００の状況又は干渉状態に応じて異なる。したがって、端末２００に対して、複数のDMRSパターンが動的に切り替えられる場合が想定される。一方、DMRSパターンによって適切なDMRSの電力（電力密度）オフセット量は異なる。したがって、DPIによってDMRSパターンとDMRSの電力（電力密度）オフセット量とを同時に切り替えるることにより、より柔軟かつ適切なDMRSの電力オフセットをDMRSパターン毎に与えることができる。また、DMRSパターンを指示するためのDPIを用いてオフセットを通知することにより、オフセットを指示するための追加の制御ビットが不要なのでオーバーヘッドの増加が生じない。
【０１８１】
また、図２２に示すようなDPI（２ビット）では４種類の組み合わせを設定できるので、同一のDMRSパターンに複数のDMRSの電力（電力密度）オフセットを設定することも可能である。これにより、端末２００の状態又は与干渉の状態に応じて同一のDMRSパターンであっても異なるオフセットを設定可能となり、重要なデータの場合にはオフセットを大きくしたり、与干渉を減らしたいサブフレームではオフセットを小さくしたり、DMRSの送信電力（送信電力密度）に対するオフセットを動的に設定することができる。
【０１８２】
［バリエーション２］
バリエーション２では、端末２００は、UL grantによって指示されたPUSCHの割当帯域幅に応じて、DMRSにおける電力（電力密度）オフセット量を変更する。
【０１８３】
例えば、図２３に示すように、広帯域割当の場合にはオフセット量を小さくし、狭帯域割当の場合にはオフセット量を大きくする。すなわち、PUSCHに割り当てられた帯域幅が広いほど、DMRSの電力（電力密度）オフセットは小さくなる。
【０１８４】
なお、割当帯域幅とオフセット量との対応関係は、表又は式で規定されてもよい。図２４は、各割当帯域幅（PUSCHの割当RB数）に対応する電力オフセット量Y［dBm］が表で与えられる場合の例を示す。また、次式（８）は、電力オフセット量Y［dBm］が数式で与えられる場合の例を示す。
【数８】
2014192860.tif 000010
【０１８５】
ここで、Pmaxは端末２００の最大送信電力を表し、yは規定値又は上位レイヤ等で通知される値であり、割当帯域幅に逆比例する送信電力オフセットの係数を表す。
【０１８６】
なお、図２４及び式（８）は電力オフセットの場合について示すが、電力オフセットを、電力密度オフセットで置き換えてもよい。
【０１８７】
UL grantによって広い帯域が割り当てられるのは、端末２００と受信局（例えば基地局１００）との距離が非常に近い場合又はチャネル状態が非常に良い場合などである。このような場合、端末２００と周辺セルとの距離は相対的に遠くなり、端末２００から他セルへの与干渉も小さくなる。よって、端末２００に対して広い帯域が割り当てられる場合に、DMRSにおける送信電力（送信電力密度）のオフセットを小さくしても、十分に高いチャネル推定精度を得ることができる。
【０１８８】
これに対して、UL grantによって狭い帯域が割り当てられるのは、端末２００と周辺セルとの距離が近い場合が考えられ、この場合、端末２００が他セルから受ける干渉も大きくなる。よって、端末２００に対して狭い帯域が割り当てられる場合には、DMRSにおける送信電力（送信電力密度）のオフセットを大きくすることで、周辺セルからの干渉の影響を低減し、十分なチャネル推定精度を得ることができる。なお、上述したように、セル間ではDMRS同士の相関が低くなるように設計されているので、端末２００がDMRSの送信電力を増加させることにより他セルへ与える干渉の影響は小さい。
【０１８９】
このように、端末２００の割当帯域幅に応じてDMRSの電力（電力密度）オフセットを設定することにより、端末２００の環境に応じて適切なチャネル推定精度を確保することができる。
【０１９０】
以上、本発明の実施の形態について説明した。
【０１９１】
また、上記実施の形態では、本発明をハードウェアで構成する場合を例にとって説明したが、本発明はハードウェアとの連携においてソフトウェアで実現することも可能である。
【０１９２】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１９３】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１９４】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１９５】
本開示の端末は、DMRS（Demodulation Reference Signal）の第１の配置パターンにおいてDMRSがマッピングされるリソースの一部のリソースがデータリソースに置き換えられた第２の配置パターンを用いる場合、前記一部のリソース以外のリソースにマッピングされる第１のデータの送信電力又は送信電力密度にオフセットを加えて、前記一部のリソースにマッピングされる第２のデータの送信電力又は送信電力密度を制御する制御部と、前記第１のデータ、前記第２のデータ及びDMRSを含む信号を送信する送信部と、を具備する構成を採る。
【０１９６】
本開示の端末では、前記制御部は、前記第１のデータの送信電力又は送信電力密度を前記オフセットだけ減少させた値を、前記第２のデータの前記送信電力又送信電力密度に設定する。
【０１９７】
本開示の端末では、前記第１の配置パターン及び前記第２の配置パターンを含む複数の配置パターンのうちの前記送信装置が用いる配置パターンと、前記オフセットとを指示する情報を受信する受信部、を更に具備する。
【０１９８】
本開示の端末では、前記信号に割り当てられた帯域幅が広いほど、前記オフセットは小さい。
【０１９９】
本開示の端末では、前記制御部は、前記第１のデータの送信電力又は送信電力密度を前記オフセットだけ増加させた値を、前記第２のデータの前記送信電力又送信電力密度に設定する。
【０２００】
本開示の端末では、前記オフセットは、前記第２のデータの前記送信電力又は送信電力密度をゼロにする。
【０２０１】
本開示の端末では、前記制御部は、更に、前記第１のデータに対する第１のMCS（Modulation and coding scheme）レベルと異なる基準に基づいて、前記第２のデータに対する第２のMCSレベルを設定する。
【０２０２】
本開示の端末では、前記第１のMCSレベルは制御情報によって通知され、前記第２のMCSレベルは予め規定される。
【０２０３】
本開示の端末では、前記制御部は、前記第１のMCSレベルに第２のオフセットを加えて、前記第２のMCSレベルを制御する。
【０２０４】
本開示の端末では、前記第１のMCSレベルが所定の閾値より高い場合には、前記第２のMCSレベルは前記第１のMCSレベルと同一であり、前記第１のMCSレベルが前記閾値以下の場合には、前記第２のMCSレベルは前記第１のMCSレベルよりも低い。
【０２０５】
本開示の端末では、前記制御部は、更に、前記第２の配置パターンを用いる場合、DMRSの送信電力又は送信電力密度を、前記第１のデータの送信電力又は送信電力密度よりも高く設定する。
【０２０６】
本開示の端末では、前記第１の配置パターン及び前記第２の配置パターンを含む複数の配置パターンのうちの前記送信装置が用いる配置パターンと、第３のオフセットとを指示する情報を受信する受信部、を更に具備し、前記制御部は、前記第１のデータの送信電力又は送信電力密度に前記第３のオフセットを加えて、前記DMRSの送信電力又は送信電力密度を設定する。
【０２０７】
本開示の端末では、前記信号に割り当てられた帯域幅が広いほど、前記第３のオフセットは小さい。
【０２０８】
本開示の送信方法は、DMRS（Demodulation Reference Signal）の第１の配置パターンにおいてDMRSがマッピングされるリソースの一部のリソースがデータリソースに置き換えられた第２の配置パターンを用いる場合、前記一部のリソース以外のリソースにマッピングされる第１のデータの送信電力又は送信電力密度にオフセットを加えて、前記一部のリソースにマッピングされる第２のデータの送信電力又は送信電力密度を制御し、前記第１のデータ、前記第２のデータ及びDMRSを含む信号を送信する。
【産業上の利用可能性】
【０２０９】
本発明は、移動体通信システムに適用できる。
【符号の説明】
【０２１０】
１００  基地局
２００  端末
１１  制御信号生成部
１２，２５  送信部
１３，２１  受信部
１４，１１４  チャネル推定部
１５  受信信号処理部
１０１，２３，２０５  制御部
１０２  制御情報生成部
１０３，２０６  符号化部
１０４，２０７  変調部
１０５，２１２  マッピング部
１０６，２１３  IFFT部
１０７，２１４  CP付加部
１０８，２１５  無線送信部
１０９，２０１  無線受信部
１１０，２０２  CP除去部
１１１，２０３  FFT部
１１２  デマッピング部
１１３  CSI測定部
１１５  等化部
１１６  IDFT部
１１７  復調部
１１８  復号部
１１９  判定部
２２，２０４  制御信号抽出部
２４，２０８  DMRS生成部
２０９  SRS生成部
２１０  多重部
２１１  DFT部
【図１】
2014192860.tif 000011
【図２】
2014192860.tif 000012
【図３】
2014192860.tif 000013
【図４】
2014192860.tif 000014
【図５】
2014192860.tif 000015
【図６】
2014192860.tif 000016
【図７】
2014192860.tif 000017
【図８】
2014192860.tif 000018
【図９】
2014192860.tif 000019
【図１０】
2014192860.tif 000020
【図１１】
2014192860.tif 000021
【図１２】
2014192860.tif 000022
【図１３】
2014192860.tif 000023
【図１４】
2014192860.tif 000024
【図１５】
2014192860.tif 000025
【図１６】
2014192860.tif 000026
【図１７】
2014192860.tif 000027
【図１８】
2014192860.tif 000028
【図１９】
2014192860.tif 000029
【図２０】
2014192860.tif 000030
【図２１】
2014192860.tif 000031
【図２２】
2014192860.tif 000032
【図２３】
2014192860.tif 000033
【図２４】
2014192860.tif 000034